(57)【要約】      （修正有）【課題】操作制御の精度を高め、全体体積を縮小することができる操作制御装置を提供する。【解決手段】操作制御装置は、ベース１、操作制御モジュール２、回路モジュール３を備え、ベース１上には内部の収容設置空間１０と外部とを連通させる空洞槽１２１を設置し、しかも操作制御モジュール２は、空洞槽１２１に位置する移動体２３を備え、移動体２３は左、右両側に、それぞれ磁性部品２３１を設置し、回路モジュール３はマイクロプロセッサー３１により、ベース１収容設置空間１０内に位置し、それぞれ移動体２３両側の磁性部品２３１に向かう磁性感知モジュール３４を連接し、磁性感知モジュール３４は非接触方式により、移動体２３の左、右移動が生じる磁場変化を感知し、さらに磁場変化が所定値に達すると、マイクロプロセッサー３１に信号を発する。【選択図】図２
0003165147.tif 000002
【実用新案登録請求の範囲】
【請求項１】
ベース、操作制御モジュール、回路モジュールを備え、
前記ベース内には、収容設置空間を設置し、しかも前記ベース上には、前記収容設置空間と外部とを連通させる空洞槽を設置し、
前記操作制御モジュールは、前記空洞槽に位置する移動体を備え、前記移動体は、左、右両側に、それぞれ磁性部品を設置し、
前記回路モジュールは、前記ベースの収容設置空間内に位置し、しかも前記回路モジュールは、マイクロプロセッサーにより、前記移動体に対応し、ローリングを探知する探知モジュールを電気的に連接し、前記マイクロプロセッサーは、前記ベース収容設置空間内に位置し、それぞれ前記移動体両側の磁性部品に向かう磁性感知モジュールを連接し、前記磁性感知モジュールは、非接触方式により、前記移動体の左、右移動が生じる磁場変化を感知することで、信号を、前記マイクロプロセッサーに発送することを特徴とする操作制御装置。
【請求項２】
前記ベースは、複数の台体により組成することを特徴とする請求項１に記載の操作制御装置。
【請求項３】
前記操作制御モジュールには、前記収容設置空間から空洞槽に進入する受け止め台を設置し、しかも前記受け止め台は、前記収容設置空間から離れた片側に、前記移動体を設置し、移動、或いはローリングを行うローリング槽を設置し、
前記受け止め台側辺には、前記収容設置空間より前記ローリング槽へと連通し、前記探知モジュールにより前記移動体を探知する貫通孔を設置し、しかも前記探知モジュールは、前記貫通孔の前記ローリング槽から離れた外側に位置することを特徴とする請求項１に記載の操作制御装置。
【請求項４】
前記操作制御モジュールは、固定側が、前記ベースの収容設置空間下方に可動状態で接続詞、可動側が、前記空洞槽に進入し、前記受け止め台下方を支えるバランス棒を設置し、しかも、前記受け止め台は、前記ローリング槽に相対する反対側に、複数の弾性部品を設置することを特徴とする請求項３に記載の操作制御装置。
【請求項５】
前記ベース空洞槽左、右側には、前記収容設置空間に連通する収容槽をそれぞれ設置し、前記操作制御モジュールは、前記収容設置空間内に、前記空洞槽下方に位置する受け止め台を設置し、
前記受け止め台上には、前記空想槽内に位置し、しかも左、右端が左、右側収容槽内にそれぞれ進入する移動体を設置し、
前記移動体上には、連通槽を設置し、しかも前記移動体上には、前記連通槽外側を覆い、前記移動体と前記受け止め台外側をぐるりと取り囲むカバー体を嵌めて設置し、
さらに前記受け止め台上には、前記連通槽に対応し、前記カバー体のローリングを探知する探知モジュールを設置することを特徴とする請求項１に記載の操作制御装置。
【請求項６】
前記受け止め台は、前記ローリング槽に相対する反対側に、１個以上のプッシュ部を突出状に設置し、しかも前記回路モジュールは、前記マイクロプロセッサーにより、前記受け止め台が押された後に、前記プッシュ部が押す、１個以上の制御スイッチを連接することを特徴とする請求項１に記載の操作制御装置。
【請求項７】
前記移動体は、非中空状、内部に貫通槽を備える中空状とすることができ、或いは貫通槽内に重い物を充填することもできることを特徴とする請求項１に記載の操作制御装置。
【請求項８】
前記回路モジュールは、前記マイクロプロセッサーにより、コンピューターの連接ポートと相互に電気的に挿入して接続する連接インターフェースを電気的に連接し、
しかも、前記連接インターフェースは、USB、PS２、或いは他の連接インターフェースであることを特徴とする請求項１に記載の操作制御装置。
【請求項９】
前記移動体は、膜内射出方式を通して、前記複数の磁性部品外部に成型することを特徴とする請求項１に記載の操作制御装置。
【請求項１０】
前記複数の磁性部品は、粘着、係合、溶接などの方式により、前記移動体両側の内部、或いは外部に固定して設置することを特徴とする請求項１に記載の操作制御装置。
【請求項１１】
前記移動体左、右両側には、前記磁性部品を固定して接続する固定台をそれぞれ設置し、しかも前記磁性部品は、前記移動体外部に向かい進出し、或いは前記移動体内へと進入することを特徴とする請求項１に記載の操作制御装置。
【請求項１２】
前記移動体は、円柱、楕円柱、四角柱、或いは五角柱形状を呈することを特徴とする請求項１に記載の操作制御装置。
【請求項１３】
前記磁性感知モジュールは、前記回路板上に、入力エンドが外部電流と連接するコンパレーターを設置し、
前記コンパレーターのもう一つの入力エンドは、前記磁性部品の移動ルートに対応する感知回路を電気的に連接し、
前記コンパレーターの出力エンドは、ラッチに電気的に連接し、前記ラッチはさらに、信号をマイクロプロセッサーに伝送する出力インターフェースに電気的に連接することを特徴とする請求項１に記載の操作制御装置。
【請求項１４】
前記感知回路は、磁性抵抗センサーで、しかも前記磁性部品の２個の磁極は、前記感知回路の外の位置に対応することを特徴とする請求項１３に記載の操作制御装置。
【請求項１５】
前記感知回路は、ホールチップで、前記感知回路中心位置は、前記磁性部品の磁極に対応することを特徴とする請求項１３に記載の操作制御装置。
【考案の詳細な説明】
【技術分野】
【０００１】
本考案は操作制御装置に関し、特に移動体両側に磁性部品をそれぞれ設置し、磁性感知モジュールを通して非接触式方式で、磁性部品移動が生じる磁場変化を探知して信号を発射し、接触による機械疲労、或いは接触不良の問題が生じないため、操作制御精度を高めることができる操作制御装置に関する。
【背景技術】
【０００２】
テクノロジーの飛躍的な進歩と、電子産業の急速な発展に従い、さまざまな電子装置が次々に我々の生活に入り込み、生活になくてはならないもの(コンピューター、携帯電話、デジカメなど)となっている。
中でも、コンピューターは仕事においては必須のツールであり、インターネットの普及によって、日常生活での多くの事柄(データ検索、音楽や映画鑑賞、ニュース閲覧、ゲームやエンターテイメント)が、コンピューター或いはネットワークを利用して処理されるようになっている。
また、ネットワークを通して友人とおしゃべりし、メッセージを送り、メールを送受信し、さらにはショッピング、予約、振込み、支払いなどまで行うことができる。
【０００３】
コンピューターは、たくさんの機能を備え、使用者の生活を便利にしてくれるため、多くの人が毎日のようにコンピューターに接している。
現在使用者の大多数は、キーボードとマウスを利用しコンピューターを作動させ、マウスポインターを移動させ、クリックして選択し、タイプするなどの動作を達成している。
使用者は、仕事、学業、レジャー、娯楽の各局面ですべてコンピューターを使用する可能性があるため、多くの人が長時間マウスを使用することとなっている。
しかし、マウス操作時に、腕と手は多くがデスク面に接触し、手のひらと指でマウスを使用しているが、大きな範囲内でマウスの移動を制御する必要がある時には、腕を持ち上げ、次にひじでマウスの移動を連動しなければならない。
このため、長時間、しかも頻繁にマウスを使用すると、マウス症候群(腕の腱鞘炎)という症状を引き起こすこともある。
【０００４】
この問題に対して、腕パッドを開発したメーカーもあるが、操作において、腕を持ち上げマウスを大きな範囲で移動させれば、腕は腕パッドを離れてしまう。
しかも、個人の使用の習慣で、マウスを持ち上げて置く位置を変える動作をする人もいると考えられ、パッドの実用性を大きく低下させてしまう。
【０００５】
このため、あるメーカーは、ロールバーで操作を行う装置を開発した。
それは図１１に示すように、ロールバーの体積が大きいため、直接左、右に移動させ、制御スイッチに部品に接触させることができない。
よって、メーカーでは、回転棒部品を可動状態で設置した。
こうして、ロールバーを利用し回転棒部品を片側に押しやり、これにより回転棒部品反対側は回転してスイッチ部品を押して制御し、信号を入力することができる。
しかし、実際の使用時には、使用者の移動習慣がそれぞれ異なり、或いは力が不足し、回転棒部品はスイッチ部品を確実に押して制御することができず、結局ロールバーを繰り返し左、右に移動させる動作が必要となり、操作が不便であるという欠点が生じる。
しかも、ロールバーに確実に回転棒部品を押させるため、使用者が大きな力を長時間加えれば、スイッチ部品を制御して信号を出力することはできるが、長時間使用後の回転棒部品は、壊れて作動しなくなり易く、修理やパーツの交換が必要となってしまう。
すなわち本考案は、従来のロールバーが、スイッチ部品を確実に押して制御し、信号を発することができないという欠点に鑑みてなされたものである。
【考案の概要】
【考案が解決しようとする課題】
【０００６】
本考案が解決しようとする第一の課題は、ベースの空洞槽に位置する移動際左、右両側に磁性部品を設置し、ベース収容設置空間内の回路モジュールは、回路板上のマイクロプロセッサーにより、両側の磁性部品にそれぞれ向かう磁性感知モジュールを電気的に連接し、これにより移動体は片側の磁性部品を連動して磁性感知モジュールに近づけると、磁性感知モジュールは非接触方式により、磁性部品の磁場強度の変化を探知し、操作制御信号を発し、移動体は磁性感知モジュールに接触する必要がないため、磁性感知モジュールは、接触により生じる機械疲労、或いは接触不良の問題と無縁であるばかりか、信号を確実に発射でき、しかも移動体の材質は、一切の制限を受けず、金属、ゴム、プラスチック、木材質、テフロン（登録商標）、布などの軟質或いは硬質の材質により製造することができ、こうして操作制御の精確性と製品の変化性を向上させることができる操作制御装置を提供することである。
本考案が解決しようとする第二の課題は、磁性感知モジュールは、回路板上にコンパレーター、感知回路、ラッチ、出力インターフェースを設置し、設置する電子部品が少なく、体積が小さく、しかもベース収容設置空間内には、磁性感知モジュールが作動するための空間を残す必要がないため、全体の体積を縮小することができる操作制御装置を提供することである。
【課題を解決するための手段】
【０００７】
請求項１の考案は、ベース、操作制御モジュール、回路モジュールを備え、前記ベース内には、収容設置空間を設置し、しかも前記ベース上には、前記収容設置空間と外部とを連通させる空洞槽を設置し、前記操作制御モジュールは、前記空洞槽に位置する移動体を備え、前記移動体は、左、右両側に、それぞれ磁性部品を設置し、前記回路モジュールは、前記ベースの収容設置空間内に位置し、しかも前記回路モジュールは、マイクロプロセッサーにより、前記移動体に対応し、ローリングを探知する探知モジュールを電気的に連接し、前記マイクロプロセッサーは、前記ベース収容設置空間内に位置し、それぞれ前記移動体両側の磁性部品に向かう磁性感知モジュールを連接し、前記磁性感知モジュールは、非接触方式により、前記移動体の左、右移動が生じる磁場変化を感知することで、信号を、前記マイクロプロセッサーに発送することを特徴とする操作制御装置としている。
請求項２の考案は、前記ベースは、複数の台体により組成することを特徴とする請求項１に記載の操作制御装置としている。
請求項３の考案は、前記操作制御モジュールには、前記収容設置空間から空洞槽に進入する受け止め台を設置し、しかも前記受け止め台は、前記収容設置空間から離れた片側に、前記移動体を設置し、移動、或いはローリングを行うローリング槽を設置し、前記受け止め台側辺には、前記収容設置空間より前記ローリング槽へと連通し、前記探知モジュールにより前記移動体を探知する貫通孔を設置し、しかも前記探知モジュールは、前記貫通孔の前記ローリング槽から離れた外側に位置することを特徴とする請求項１に記載の操作制御装置としている。
請求項４の考案は、前記操作制御モジュールは、固定側が、前記ベースの収容設置空間下方に可動状態で接続詞、可動側が、前記空洞槽に進入し、前記受け止め台下方を支えるバランス棒を設置し、しかも、前記受け止め台は、前記ローリング槽に相対する反対側に、複数の弾性部品を設置することを特徴とする請求項３に記載の操作制御装置としている。
請求項５の考案は、前記ベース空洞槽左、右側には、前記収容設置空間に連通する収容槽をそれぞれ設置し、前記操作制御モジュールは、前記収容設置空間内に、前記空洞槽下方に位置する受け止め台を設置し、前記受け止め台上には、前記空想槽内に位置し、しかも左、右端が左、右側収容槽内にそれぞれ進入する移動体を設置し、前記移動体上には、連通槽を設置し、しかも前記移動体上には、前記連通槽外側を覆い、前記移動体と前記受け止め台外側をぐるりと取り囲むカバー体を嵌めて設置し、さらに前記受け止め台上には、前記連通槽に対応し、前記カバー体のローリングを探知する探知モジュールを設置することを特徴とする請求項１に記載の操作制御装置としている。
請求項６の考案は、前記受け止め台は、前記ローリング槽に相対する反対側に、１個以上のプッシュ部を突出状に設置し、しかも前記回路モジュールは、前記マイクロプロセッサーにより、前記受け止め台が押された後に、前記プッシュ部が押す、１個以上の制御スイッチを連接することを特徴とする請求項１に記載の操作制御装置としている。
請求項７の考案は、前記移動体は、非中空状、内部に貫通槽を備える中空状とすることができ、或いは貫通槽内に重い物を充填することもできることを特徴とする請求項１に記載の操作制御装置としている。
請求項８の考案は、前記回路モジュールは、前記マイクロプロセッサーにより、コンピューターの連接ポートと相互に電気的に挿入して接続する連接インターフェースを電気的に連接し、しかも、前記連接インターフェースは、USB、PS２、或いは他の連接インターフェースであることを特徴とする請求項１に記載の操作制御装置としている。
請求項９の考案は、前記移動体は、膜内射出(insert molding)方式を通して、前記複数の磁性部品外部に成型することを特徴とする請求項１に記載の操作制御装置としている。
請求項１０の考案は、前記複数の磁性部品は、粘着、係合、溶接などの方式により、前記移動体両側の内部、或いは外部に固定して設置することを特徴とする請求項１に記載の操作制御装置としている。
請求項１１の考案は、前記移動体左、右両側には、前記磁性部品を固定して接続する固定台をそれぞれ設置し、しかも前記磁性部品は、前記移動体外部に向かい進出し、或いは前記移動体内へと進入することを特徴とする請求項１に記載の操作制御装置としている。
請求項１２の考案は、前記移動体は、円柱、楕円柱、四角柱、或いは五角柱形状を呈することを特徴とする請求項１に記載の操作制御装置としている。
請求項１３の考案は、前記磁性感知モジュールは、前記回路板上に、入力エンドが外部電流と連接するコンパレーターを設置し、前記コンパレーターのもう一つの入力エンドは、前記磁性部品の移動ルートに対応する感知回路を電気的に連接し、前記コンパレーターの出力エンドは、ラッチに電気的に連接し、前記ラッチはさらに、信号をマイクロプロセッサーに伝送する出力インターフェースに電気的に連接することを特徴とする請求項１に記載の操作制御装置としている。
請求項１４の考案は、前記感知回路は、磁性抵抗センサー(magneto-resistive sensor)で、しかも前記磁性部品の２個の磁極は、前記感知回路の外の位置に対応することを特徴とする請求項１３に記載の操作制御装置としている。
請求項１５の考案は、前記感知回路は、ホールチップで、前記感知回路中心位置は、前記磁性部品の磁極に対応することを特徴とする請求項１３に記載の操作制御装置としている。
【考案の効果】
【０００８】
本考案の操作制御装置は、移動体両側に磁性部品をそれぞれ設置し、磁性感知モジュールを通して非接触式方式で、磁性部品移動が生じる磁場変化を探知して信号を発射し、接触による機械疲労、或いは接触不良の問題が生じないため、操作制御精度を高めることができる。
【図面の簡単な説明】
【０００９】
【図１】本考案第一実施例の立体外観図である。
【図２】本考案第一実施例の立体分解図である。
【図３】本考案第一実施例のもう一つの立体外観図である。
【図４】本考案第一実施例のブロックチャートである。
【図５】本考案において、移動体がローリングする時の側視断面図である。
【図６】本考案において、移動体が横移動する時の俯瞰図である。
【図７】本考案において、移動体を下へと押す時の側視断面図である。
【図８】本考案第二実施例の立体分解図である。
【図９】本考案第三実施例の立体分解図である。
【図１０】本考案第三実施例の俯瞰図である。
【図１１】従来の構造の俯瞰図である。
【考案を実施するための形態】
【００１０】
以下に図面を参照しながら本考案を実施するための最良の形態について詳細に説明する。
【００１１】
本考案第一実施例の立体外観図、立体分解図、もう一つの立体外観図、ブロックチャート、移動体ローリング時の側視断面図である図１、２、３、４、５に示すように、本考案操作制御装置は、ベース１、操作制御モジュール２、回路モジュール３を備える。
【００１２】
ベース１は、第一台体１１、第二台体１２により組成する。
しかも、第一台体１１と第二台体１２との間には、収容設置空間１０を形成する。
第一台体１１は、収容設置空間１０底面に、１個以上の位置限定部１１１を設置する。
しかも、第一台体１１は、位置限定部１１１前方の左、右側に、複数の定位部１１２、可動接続部１１３を順番に設置する。
複数の定位部１１２、可動接続部１１３の間には、１個以上の可動接続フレーム１１４を設置する。
さらに、１個以上の位置限定部１１１と可動接続フレーム１１４との間には、凹槽１１５を陥没状に設置する。
【００１３】
第二台体１２は、位置限定部１１１に対応して、収容設置空間１０を外部と連通させる空洞槽１２１を設置する。
空洞槽１２１左、右側には、収容設置空間１０と連通する収容槽１２２を陥没状に設置する。
しかも、空洞槽１２１前、後壁には、１個以上の位置限定部１２３をそれぞれ設置する。
空洞槽１２１前側には、１個以上の可動接続フレーム１１４に対応する通槽１２４を設置する。
第二台体１２はさらに、通槽１２４において、空洞槽１２１の反対側に相対して、使用者の手を置くことができる腕載せ部１２５を延伸する。
しかも、腕載せ１２５上には、軟性或いは弾性材質により製造する腕載せパッド１３を設置する。
通槽１２４上には、飾り板１４を設置する。
【００１４】
操作制御モジュール２は、収容設置空間１０より、空洞槽１２１内の受け止め台２１に進入する。
受け止め台２１は、収容設置空間１０から離れた側に、ローリング槽２１１を設置する。
受け止め台２１の空洞槽１２１に近い側辺には、収容設置空間１０よりローリング槽２１１まで連通する貫通孔２１２を設置する。
しかも、受け止め台２１は、ローリング槽２１１片側に相対して、位置限定部１１１に相対して組み立て、受け止め台２１を上下に移動させる１個以上の位置限定ブロック２１３、複数の弾性部品２１４、プッシュ部２１５、複数の定位フレーム２１６を設置する。
【００１５】
さらに、受け止め台２１下方には、バランス棒２２を設置する。
バランス棒２２は、受け止め台２１下方の複数の定位フレーム２１６に可動状態で設置する基部２２１を備える。
しかも、基部２２１両側は、同じ方向に向かい湾曲し、複数の定位部１１２に挿入するサポートアーム２２２を備える。
サポートアーム２２２末端は、同じ方向に向かい湾曲し、可動接続部１１３に可動状態で設置する軸部２２３を備える。
さらに、ローリング槽２１１には、移動体２３を設置する。
しかも、移動体２３の左、右両側には、磁性部品２３１をそれぞれ設置し、収容設置空間１０に設置でき、また１個以上の通槽１２４を通して外部に露出する複数の操作制御部品２４を設置する。
【００１６】
回路モジュール３は、マイクロプロセッサー３１により、受け止め台２１上の貫通孔２１２に対応し、ローリング槽２１１内の物体のローリングを探知する探知モジュール３２を電気的に連接する。
しかも、探知モジュール３２は、貫通孔２１２のローリング槽２１１から離れた外側に固定して設置し、マイクロプロセッサー３１により、受け止め台２１のプッシュ部２１５が押し、及び複数の操作制御部品２４が触発する複数の制御スイッチ３３を連接する。
しかも、マイクロプロセッサー３１は、ベース１の収容設置空間１０内に位置し、それぞれ移動体２３両側の磁性部品２３１に向かい、これにより非接触方式の探知を行い、信号を送受信する磁性感知モジュール３４を連接する。
マイクロプロセッサー３１は、コンピューター４の連接ポート４１と相互に電気的に挿入接続する連接インターフェース３５を電気的に連接する。
しかも、連接インターフェース３５は、USB、PS２、或いは他の型式の連接インターフェースである。
【００１７】
ベース１は、単一の台体、或いは２個以上の台体により組成する。
それは、内部に収容設置空間１０を備え、操作制御モジュール２、回路モジュール３を設置することができ、また空洞槽１２１を備え、これに受け止め台２１を入れ、移動体２３を設置することができるだけでよい。
すなわち、これにより本考案の保護範囲を限定するものではない。
他の修飾、及び等価構造変化を利用した場合にも、本考案の保護範囲に含むものとする。
【００１８】
本考案第一実施例の立体分解図、ブロックチャート、第二実施例の前視図である図２、４、９に示すように、磁性感知モジュール３４は、回路板３４１上に、入力エンドが外部電流と連接するコンパレーター３４２を設置する。
コンパレーター３４２のもう一つの入力エンドは、磁性部品２３１の移動ルートに対応する感知回路３４３を電気的に連接する。
コンパレーター３４２の出力エンドは、ラッチ３４４に電気的に連接する。
ラッチ３４４はさらに、信号をマイクロプロセッサー３１に伝送する出力インターフェース３４５に電気的に連接する。
回路板３４１上に設置する電子部品は少ないため、その体積は小さく、しかも機械作動に必要な空間を残す必要がない。
また、長時間使用後にも、磁性感知モジュール３４は、機械疲労、或いは接触不良を起こす恐れがなく、精確に探知を行い、信号を発信することができる。
さらに同時に、確実に信号を触発し、効果的に空間を節約して、全体の体積を縮小する目的を達成することができる。
【００１９】
感知回路３４３は、ホールチップ(Hall IC)、或いは磁性抵抗センサー(magneto-resistive sensor、MR sensor)である。
感知回路３４３が、ホールチップである時、磁性部品２３１の磁極は、ホールチップの中心位置に対応する。
感知回路３４３が、磁性抵抗センサーである時、磁性部品２３１の磁極が、磁性抵抗センサーに向かう必要がある際には、磁性部品２３１は、側辺へと所定の距離(２〜２．５mmなど)の偏移を行う。
【００２０】
本考案第一実施例の立体分解図、もう一つの立体外観図、移動体ローリング時の側視断面図、移動体横移動時の俯瞰図である図２、３、５、６に示すように、本考案の使用時には、使用者は手や腕を腕載せパッド１３に置くことができる。
さらに、指により、複数の操作制御部品２４、移動体２３を操作して制御する。
移動体２３により、使用者は前、後方向へのローリングを行うことができる。
この時、回路モジュール３の探知モジュール３２は、受け止め台２１片側の貫通孔２１２を通して、移動体２３のローリング距離を探知し、コンピューター４スクリーン上のマウスポインターを操作して、上下に移動させることができる。
また、移動体２３の長さは、受け止め台２１のローリング槽２１１より短いため、使用者は移動体２３を左、右へとスライドさせることができる。
移動体２３が、ローリング槽２１１の片側の収容槽１２２へと移動すると、磁性部品２３１を利用して磁性感知モジュール３４へと接近させる。
【００２１】
磁性部品２３１が発する磁場強度は、距離が短くなるに従い強くなるため、磁性感知モジュール３４は、それが探知した磁場変化に基づき、さらに磁場強度が所定値に達すると、信号を発し、コンピューター４スクリーン上のマウスポインターを操作して左、右に移動させる。
磁性部品２３１の磁場が減衰する速度はゆっくりで、しかも磁性感知モジュール３４の電子部品は、探知が精確であるという効果を備えるため、移動体２３が左方向、或いは右方向へと移動する時、確かに感知でき、それに対応する信号を発することができる。
【００２２】
本考案第一実施例の立体分解図、もう一つの立体外観図、移動体を下へと押す時の側視断面図である図２、３、７に示すように、本考案は使用時に、移動体２３を下方へと押すことができる。
こうして、移動体２３は、受け止め台２１を押す。
これにより、位置限定ブロック２１３を利用し、しかも位置限定部１１１及び位置限定部１２３を通して下方へと移動し、受け止め台２１下方の１個以上の弾性部品２１４を圧縮する。
受け止め台２１片側のプッシュ部２１５は、回路モジュール３の制御スイッチ３３を押し、これによりマウスポインターにはクリックの効果が発生する。
探知モジュール３２は、受け止め台２１片側に設置するため、受け止め台２１が下へと移動する時、移動体２３に対して探知を行う。
【００２３】
こうして、移動体２３を押す時には、それに対して左、右移動を行うことができ、これによりマウスポインターを操作し、引っ張り選択、ドラッグ、或いはフレーム選択を行うことができる。
移動体２３を押すのをやめると、１個以上の弾性部品２１４は、弾性により復位し、受け止め台２１を押して上方へと移動させる。
受け止め台２１は、位置限定ブロック２１３と位置限定部１１１、位置限定部１２３を利用し、位置を限定し、もとの位置へと戻る。
【００２４】
探知モジュール３２は、受け止め台２１側辺に設置する。
受け止め台２１下方に設置するのではなく、しかも探知モジュール３２は、受け止め台２１が下へと移動する時、それに従いベース１の凹槽１１５にちょうど入る。
そのため、受け止め台２１下方の収容設置空間１０は、位置限定ブロック２１３、弾性部品２１４、定位フレーム２１６、バランス棒２２だけを設置すればよい。
よって、その高度は受け止め台２１が上、下移動できれば良く、こうしてベース１のを薄くすることができる。
さらに、受け止め台２１の貫通孔２１２は、側辺に位置し、下方に位置するのではない。
これにより、ほこりは貫通孔２１２内に進入しにくい。
こうして、回路モジュール３の探知モジュール３２に、ほこりがたまったり、ほこりが詰まったりし、ほこりが探知を干渉するようなことはなく、探知モジュール３２は、良好な探知の精度を保持することができる。
【００２５】
上記したように、移動体２３は、受け止め台２１のローリング槽２１１内において左、右移動を行うことができるため、使用者が手で移動体２３を下方へと押すと、施力位置は中央に偏移し、移動体２３と受け止め台２１は、変形或いは反り返る状況が発生し、受け止め台２１は、下方の複数の定位フレーム２１６が可動状態で設置するバランス棒２２を利用し、バランス棒２２反対側の２本の軸部２２３は、ベース１の可動接続部１１３に可動状態で接続する。
受け止め台２１が下方へと移動すると、バランス棒２２を通して、力を平均的な移動に転換でき、こうして受け止め台２１は安定した上下移動を行うことができる。
受け止め台２１が、非硬質の材質(プラスチック、ゴムなど)を利用して製造されている場合には、受け止め台２１が長いため、軟化湾曲の問題が発生する。
この時、バランス棒２２を利用して、受け止め台２１下方において支える。
これにより、受け止め台２１は水平を保持し、こうして移動体２３はスムーズにローリング、移動を行うことができる。
【００２６】
本考案第一実施例の立体外観図、立体分解図、もう一つの立体外観図、移動体の横移動時の俯瞰図である図１、２、３、６に示すように、受け止め台２１のローリング槽２１１は、ベース１の空洞槽１２１内に露出する。
しかも、移動体２３の長さは、ローリング槽２１１よりも短い。
このため、移動体２３は、ローリング槽２１１内より取り出すことができる。
人の手は、常に物品に接触しており、ちり、土、ほこり、油汚れ、或いは他の雑質が付着しているため、人が移動体２３を操作する時には、上記した雑質が、移動体２３上に付着する。
そのため、本考案の移動体２３は、使用者が取り出して掃除可能となっており、これにより移動体２３ローリング移動時のスムーズ度を保持できる他、手に良好なさわり心地を与えることができる。
さらに、使用者が違えばその使用習慣も違い、加える力にも差があるため、本考案では、使用者は自身の好み、或いは習慣に応じて、違った重さの移動体２３に交換することができ、こうして適用性を向上させることができる。
【００２７】
本考案第一実施例の立体分解図、もう一つの立体外観図、第二実施例の立体分解図である図２、３、８に示すように、操作制御モジュール２の受け止め台２１には、ローリング槽２１１により移動体２３を直接入れ、ローリング或いは移動を行うことができる。
移動体２３とローリング槽２１１は、摩擦を生じるため、ローリング、或いは移動がスムーズでないという欠点を生じる。
このため、ポリオキシメチレン(POM)、ポリテトラフルオロエチレン(PTFE、別名テフロン（登録商標）)、或いは他の自潤材質により受け止め台２１を製造することができる。
ローリング槽２１１は、両側に、移動体２３のローリング摩擦力を減少させる複数のリブ部品２１１１を設置することができる。
リブ部品２１１１は、超高分子量ポリエチレン(UPE)、ポリテトラフルオロエチレン、或いは他のスライド材質により製造する片体で、またはルビー(RUBY)、セラミック、或いは他の耐磨耗材質により製造する球体である。
上記した方式により、移動体２３とローリング槽２１１との間の摩擦力を低下させ、こうして移動体２３使用時のスムーズ度を向上させることができる。
【００２８】
さらに、移動体２３は、非中空状、内部に貫通槽２３４を備える中空状、或いは貫通槽２３４内に重い物を充填した状態とすることができ、体積の変化により、移動体２３の重量を変え、使用者のニーズに合わせることができる。
【００２９】
本考案第二実施例の立体分解図、俯瞰図である図９、１０に示すように、ベース１収容設置空間１０内には、空洞槽１２１下方に位置する操作制御モジュール２受け止め台２１を設置する。
受け止め台２１上には、空洞槽１２１に露出する移動体２３を設置する。
移動体２３下方は、空洞状を呈し、受け止め台２１前、後側を支える。
しかも、移動体２３左、右端は、空洞槽１２１左、右側の収容槽１２２内に挿入される。
移動体２３上には、連通槽２３０を貫通状に設置し、しかも移動体２３上には、連通槽２３０外側を覆うカバー体２３３を嵌めて設置する。
カバー体２３３は、移動体２３と受け止め台２１外側をぐるりと囲む。
移動体２３左、右側には、磁性部品２３１を定位させる固定台２３２をそれぞれ設置する。
しかも、磁性部品２３１は、移動体２３外部に向かい、移動体２３内に進出し、或いは移動体２３内へ進入する。
さらに、受け止め台２１上には、連通槽２３０に対応し、カバー体２３３のローリングを探知する探知モジュール３２を設置する。
【００３０】
使用時には、力を入れることで、移動体２３を連動し、受け止め台２１上で左、右移動を行わせる。
さらに、磁性部品２３１を連動して動機に移動させ、これにより磁性感知モジュール３４は、磁場変化を探知し、信号を出力する。
しかも、力を入れることで、カバー体２３３のローリングを連動し、探知モジュール３２を利用して、カバー体２３３のローリング距離を探知し、これにより対応する信号を出力する。
【００３１】
本考案第一実施例の立体分解図、もう一つの立体外観図、第二実施例の立体分解図、第三実施例の立体分解図である図２、３、８、９に示すように、複数の磁性部品２３１外部には、膜内射出(insert molding)方式を通して移動体２３を成型する。
または、移動体２３両側内部、或いは外部に、粘着、係合、溶接などの方式により、磁性部品２３１を直接固定して設置する。
または、移動体２３左、右両側に、先ず、固定台２３２をそれぞれ設置し、次に、固定台２３２上に磁性部品２３１を固定して接続し、しかも受け止め台２１上には、磁性部品２３１を設置する槽孔を陥没状に設置する。
かつ、移動体２３は、円柱、楕円柱、四角柱、五角柱、或いは矩形蓋、弧状蓋などの形状で、移動体２３外部には、カバー体２３３を嵌めて設置することができる。
移動体２３は、左、右移動、及びローリングの機能があればそれで良く、これにより本考案の保護範囲を限定するものではない。
他の修飾、及び等価構造変化の利用も、同一原理として、本考案の保護範囲に含むものとする。
【００３２】
上記した移動体２３は、金属、ゴム、プラスチック、木材質、テフロン（登録商標）、或いは布などの材質により製造する。
移動体２３は、硬質の材質を利用しようと、軟質の材質を利用しようと、移動体２３が両側磁性部品２３１の移動を連動することで、磁性感知モジュール３４は、磁場変化を感知し、信号を発射することができ、こうして製品変化性の目的を達成することができる。
【００３３】
本考案第一実施例の立体分解図、もう一つの立体外観図である図２、３に示すように、操作制御モジュール２には、複数の操作制御部品２４を設置することができる。
しかも、複数の操作制御部品２４は、通槽１２４を通して、ベース１上方外部に突出して露出する。
上記した複数の操作制御部品２４は、ボタン、ローラー、ボール、或いは他の手で押して操作を行うことができる部品で、使用者が押すことで、回路モジュール３の制御スイッチ３３を触発し、これによりマウスポインターを操作する機能があればそれでよく、これにより本考案の保護範囲を限定するものではない。
他の修飾、及び等価構造変化の利用も、同一原理として、本考案の保護範囲に含むものとする。
【００３４】
本考案の操作制御装置の実際使用時には、以下の長所がある。
１．移動体２３が左、右に移動する時、片側の磁性部品２３１を連動し、磁性感知モジュール３４に接近させ、これにより磁性感知モジュール３４は、非接触方式により、磁性部品２３１の磁場強度の変化が所定値に達したことを探知すると、操作制御信号を発する。磁性感知モジュール３４は、機械疲労、或いは接触不良の問題とは無縁であるため、確実に信号を発射でき、こうして操作制御の正確性を向上させることができる。
２．移動体２３は、移動時、両側の磁性部品２３１と磁性感知モジュール３４の距離変化を利用し、これにより磁性感知モジュール３４は、非接触方式により磁場変化を探知し、移動体２３が磁性感知モジュール３４に接触する必要がないため、移動体２３の製造材質は、制限を受けず、金属、ゴム、プラスチック、木材、テフロン（登録商標）、或いは布などの軟質、或いは硬質の材質を用いて製造することができ、こうして製品の変化性を向上させることができる。
３．磁性感知モジュール３４は、回路板３４１上に、コンパレーター３４２、感知回路３４３、ラッチ３４４、出力インターフェース３４５を設置し、設置する電子部品が少なく、磁性感知モジュール３４は、占有空間が少ないという長所があり、しかもベース１収容設置空間１０内には、磁性感知モジュール３４が作動する空間を残す必要がないため、全体体積を縮小する目的を達成することができる。
【００３５】
よって、本考案は、ベース１内部収容設置空間１０に、空洞槽１２１に露出する移動体２３を設置し、しかも移動体２３左、右両側には、磁性部品２３１を設置し、収容設置空間１０内の回路モジュール３には、両側の磁性部品２３１に向かう磁性感知モジュール３４を設置する。
これにより、磁性感知モジュール３４は、非接触方式により、磁性部品２３１の磁場強度変化を探知し、位置を判断して、操作制御信号を発する。
磁性感知モジュール３４は、機械疲労、或いは接触不良の問題とは無縁なため、信号を確実に発射でき、操作制御精度を向上させることができる。
【００３６】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００３７】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３８】
１  ベース
１０  収容設置空間
１１  第一台体
１１１  位置限定部
１１２  定位部
１１３  可動接続部
１１４  可動接続フレーム
１１５  凹槽
１２  第二台体
１２１  空洞槽
１２２  収容槽
１２３  位置限定部
１２４  通槽
１２５  腕載せ部
１３  腕載せパッド  
１４  飾り板
２  操作制御モジュール
２１  受け止め台
２１１  ローリング槽
２１１１  リブ部品
２１２  貫通孔
２１３  位置限定ブロック
２１４  弾性部品
２１５  プッシュ部
２１６  定位フレーム
２２  バランス棒
２２１  基部
２２２  サポートアーム
２２３  軸部
２３  移動体
２３０  連通槽
２３１  磁性部品
２３２  固定台
２３３  カバー体
２３４  貫通槽
２４  操作制御部品
３  回路モジュール
３１  マイクロプロセッサー
３２  探知モジュール
３３  制御スイッチ
３４  磁性感知モジュール
３４１  回路板
３４２  コンパレーター
３４３  感知回路
３４４  ラッチ
３４５  出力インターフェース
３５  連接インターフェース
４  コンピューター
４１  連接ポート
【図１】
0003165147.tif 000003
【図２】
0003165147.tif 000004
【図３】
0003165147.tif 000005
【図４】
0003165147.tif 000006
【図５】
0003165147.tif 000007
【図６】
0003165147.tif 000008
【図７】
0003165147.tif 000009
【図８】
0003165147.tif 000010
【図９】
0003165147.tif 000011
【図１０】
0003165147.tif 000012
【図１１】
0003165147.tif 000013